(57)【要約】画像と音声のずれを抑制することができる車両用表示装置を提供する。車両情報を表示する車両用表示装置１は、車両情報を示す画像を表示するディスプレイ３０と、外部から車両情報を取得し、車両用表示装置１を制御する第１の制御部の一例であるメインマイコン１０と、メインマイコン１０による制御のもと画像を生成したうえでディスプレイ３０に表示する第２の制御部の一例であるＧＤＣ２０と、ＧＤＣ２０による制御のもと音声を発するスピーカ４０と、を備える。ＧＤＣ２０は、画像の切り替わりに合わせてスピーカ４０を介して音声を発する。
2020122129.tif 000002
【特許請求の範囲】
【請求項１】
車両情報を表示する車両用表示装置であって、
前記車両情報を示す画像を表示するディスプレイと、
外部から前記車両情報を取得し、前記車両用表示装置を制御する第１の制御部と、
前記第１の制御部による制御のもと前記画像を生成したうえで前記ディスプレイに表示する第２の制御部と、
前記第２の制御部による制御のもと音声を発するスピーカと、を備え、
前記第２の制御部は、前記画像の切り替わりに合わせて前記スピーカを介して音声を発する、
車両用表示装置。
【請求項２】
音声データが記憶されるＮＯＲ型メモリと、
元画像データが記憶されるＮＡＮＤ型メモリと、を備え、
前記第２の制御部は、前記ＮＯＲ型メモリに記憶される前記音声データに基づき前記スピーカから音声を発し、前記ＮＡＮＤ型メモリに記憶される前記元画像データに基づき前記画像を生成したうえで前記ディスプレイに表示する、
請求項１に記載の車両用表示装置。
【請求項３】
前記第２の制御部は、外部から娯楽情報を取得し、取得した前記娯楽情報に基づき、前記スピーカを介して娯楽音声を発するとともに、前記画像として娯楽画像を生成したうえで前記ディスプレイに表示する、
請求項１又は２に記載の車両用表示装置。
【請求項４】
前記第２の制御部は、アイコンが点滅する前記画像を生成したうえで前記ディスプレイに表示する際、前記スピーカを介して、前記アイコンが点灯している期間に音声を発し、前記アイコンが消灯している期間に音声を停止する、
請求項１から３の何れか１項に記載の車両用表示装置。
【発明の詳細な説明】
【技術分野】
【０００１】
本発明は、車両用表示装置に関する。
【背景技術】
【０００２】
従来から、ディスプレイに車両情報を表示する車両用メータ装置が知られている。例えば、特許文献１に記載の車両用メータ装置は、車両情報を表示するディスプレイと、警告音やブザー音等を発するスピーカと、スピーカを含む車両用メータ装置全体の制御を行うメインマイコンと、メインマイコンによる制御のもとディスプレイに画像を表示するＧＤＣ（Graphic Display Controller）マイコンと、を備える。
【先行技術文献】
【特許文献】
【０００３】
【特許文献１】特開２０１２−２９８８号公報
【発明の概要】
【発明が解決しようとする課題】
【０００４】
上記特許文献１に記載の構成においては、スピーカはメインマイコンにより制御され、ディスプレイはＧＤＣマイコンにより制御される。このように、スピーカとディスプレイが異なる制御部により制御されるため、ディスプレイの表示に合わせてスピーカから音声を発生させることが困難であり、表示される画像と音声のずれが生じ易かった。【０００５】
本発明は、上記実状を鑑みてなされたものであり、画像と音声のずれを抑制することができる車両用表示装置を提供することを目的とする。
【課題を解決するための手段】
【０００６】
上記目的を達成するため、本発明に係る車両用表示装置は、車両情報を表示する車両用表示装置であって、前記車両情報を示す画像を表示するディスプレイと、外部から前記車両情報を取得し、前記車両用表示装置を制御する第１の制御部と、前記第１の制御部による制御のもと前記画像を生成したうえで前記ディスプレイに表示する第２の制御部と、前記第２の制御部による制御のもと音声を発するスピーカと、を備え、前記第２の制御部は、前記画像の切り替わりに合わせて前記スピーカを介して音声を発する。
【発明の効果】
【０００７】
本発明によれば、車両用表示装置において、画像と音声のずれを抑制することができる。
【図面の簡単な説明】
【０００８】
【図１】本発明の一実施形態に係る車両用表示装置の正面図である。
【図２】本発明の一実施形態に係る車両用表示装置のブロック図である。
【発明を実施するための形態】
【０００９】
本発明に係る車両用表示装置の一実施形態について図面を参照しつつ説明する。
図１に示すように、車両用表示装置１は、車両情報を示す画像を表示するデジタルメータである。画像の具体的な表示内容については後述する。
【００１０】
図２に示すように、車両用表示装置１は、メインマイコン１０と、ＧＤＣ２０と、記憶部２１と、ディスプレイ３０と、スピーカ４０と、を備える。
【００１１】
ディスプレイ３０は、ＴＦＴ（Thin Film Transistor）液晶パネル又は有機ＥＬディスプレイ（ＯＥＬＤ：Organic Electro-Luminescence Display）を備える。ディスプレイ３０は、画像を表示する画面３１を有し、ＧＤＣ２０により制御される。
【００１２】
メインマイコン１０は、ＣＰＵ（Central Processing Unit）等を備え、車両用表示装置１を制御する。メインマイコン１０は、ＣＡＮ（Control Area Network）通信を介して車両情報Ｉ１を取得する。メインマイコン１０は、取得した車両情報Ｉ１に基づき画像の生成を指令する指令信号をＧＤＣ２０に出力する。
【００１３】
記憶部２１は、ＧＤＣ２０により読み出し可能に音声データＤａが記憶されるＮＯＲ型メモリ２１ａと、ＧＤＣ２０により読み出し可能に元画像データＤｂが記憶されるＮＡＮＤ型メモリ２１ｂと、を備える。
ＮＯＲ型メモリ２１ａに記憶される音声データＤａは、オープニング音、エンディング音、シートベルトリマインダ音、バックアラーム、パーキングセンサーアラーム、車両接近アラーム、車線逸脱アラーム、スピード超過アラーム、ＶＳＡ（Vehicle Stability Assist）ＯＦＦアラーム、カーナビゲーションの案内音声、ウインカー音等を含む。
元画像データＤｂは、ＧＤＣ２０によりアイコンＩｃ、車速画像Ｓｐ、ナビ画像Ｎｖ及び娯楽画像Ａｍ等の画像を生成する際に利用されるデータである。
ＮＯＲ型メモリ２１ａは、ＮＡＮＤ型メモリ２１ｂに比べて、読み取り速度が速く、堅牢性が高い。
【００１４】
ＧＤＣ２０は、メインマイコン１０からの指令信号を受信すると、この指令信号に応じてＮＡＮＤ型メモリ２１ｂに記憶される元画像データＤｂを利用して画像を生成し、生成した画像をディスプレイ３０の画面３１に描画する。
詳しくは、ＧＤＣ２０は、図１に示すように、画面３１に、複数のアイコンＩｃと、車速画像Ｓｐと、ナビ画像Ｎｖと、娯楽画像Ａｍと、を表示可能である。
車速画像Ｓｐは、画面３１の中央に位置し、車速を示す指針計を模した円形の画像からなる。ナビ画像Ｎｖは、車速画像Ｓｐの右側に位置し、運転者を道案内する。
娯楽画像Ａｍは、車速画像Ｓｐの左側に位置し、車両とは直接に関連しない娯楽情報を示す。娯楽画像Ａｍは、例えば、音楽、テレビ又はラジオに関する情報を示す。
アイコンＩｃは、例えば、ターンライトアイコンＩｃ１、シートベルトリマインダアイコンＩｃ２又は車線逸脱警告アイコンＩｃ３を含む。
【００１５】
ＧＤＣ２０は、画面３１の画像の切り替わりに合わせて、ＮＯＲ型メモリ２１ａに記憶される音声データＤａを利用してスピーカ４０から音声を発する。
例えば、ＧＤＣ２０は、アイコンＩｃを点滅させる旨の指令信号を受けると、アイコンＩｃの点滅開始に合わせて、スピーカ４０から通知音の発音を開始する。この際、アイコンＩｃは周期的に点灯と消灯を繰り返し、通知音は周期的に発音と発音停止を繰り返す。詳しくは、ＧＤＣ２０は、アイコンＩｃを点滅させる際、アイコンＩｃが点灯している期間に通知音を発音させ、アイコンＩｃが消灯している期間に通知音の発音を停止させる。これにより、通知音をアイコンＩｃの点滅に合わせることができ、画像と音声のずれを抑制できる。
そして、ＧＤＣ２０は、アイコンＩｃの点滅を停止させる旨の指令信号を受けると、アイコンＩｃを消灯するとともに通知音を停止させる。この際も、アイコンＩｃの消灯タイミングと通知音の停止タイミングを合わせることができる。
点滅するアイコンＩｃがターンライトアイコンＩｃ１である場合には通知音はウインカー音であり、点滅するアイコンＩｃがシートベルトリマインダアイコンＩｃ２である場合には通知音はビープ音であり、点滅するアイコンＩｃが車線逸脱警告アイコンＩｃ３である場合には通知音はビープ音である。
【００１６】
例えば、ＧＤＣ２０は、娯楽情報Ｉ２を取得すると、娯楽情報Ｉ２に基づき、ＮＡＮＤ型メモリ２１ｂに記憶される元画像データＤｂを利用して娯楽画像Ａｍを生成したうえで画面３１に表示するとともにＮＯＲ型メモリ２１ａに記憶される音声データＤａに基づきスピーカ４０から娯楽音声を発する。ＧＤＣ２０は、例えば、所定の曲の再生開始タイミングと曲のタイトルの表示開始タイミングを合わせる。これにより、画像と音声のずれを抑制できる。
【００１７】
例えば、ＧＤＣ２０は、ナビ画像Ｎｖの表示を切り替える旨の指令信号を受けると、ＮＡＮＤ型メモリ２１ｂに記憶される元画像データＤｂを利用してナビ画像Ｎｖを生成したうえで表示するとともにＮＯＲ型メモリ２１ａに記憶される音声データＤａに基づきスピーカ４０からカーナビゲーションの案内音声を発する。ＧＤＣ２０は、ナビ画像Ｎｖにおける矢印の表示開始タイミングと例えば「××ｍｍ先  右折です」といった音声案内の開始タイミングを合わせる。これにより、画像と音声のずれを抑制できる。
【００１８】
また、上記具体例に限らず、例えば、オープニング画像とオープニング音のずれ、エンディング画像とエンディング音のずれ、車両のシフトポジションを示す「Ｒ」のアイコンの点灯とバックアラームのずれ、スピード超過を警告する表示とスピード超過アラームのずれ、ＶＳＡＯＦＦを示す表示とＶＳＡＯＦＦアラームのずれを、それぞれ抑制できる。
【００１９】
（効果）
以上、説明した一実施形態によれば、以下の効果を奏する。
【００２０】
（１）車両情報Ｉ１を表示する車両用表示装置１は、車両情報Ｉ１を示す画像を表示するディスプレイ３０と、外部から車両情報Ｉ１を取得し、車両用表示装置１を制御する第１の制御部の一例であるメインマイコン１０と、メインマイコン１０による制御のもと画像を生成したうえでディスプレイ３０に表示する第２の制御部の一例であるＧＤＣ２０と、ＧＤＣ２０による制御のもと音声を発するスピーカ４０と、を備える。ＧＤＣ２０は、画像の切り替わりに合わせてスピーカ４０を介して音声を発する。
この構成によれば、ＧＤＣ２０は、画像の生成のみならず、スピーカ４０を制御する。このため、制御部がメインマイコン１０とＧＤＣ２０から構成される場合でも、表示される画像と音声のずれが抑制される。
【００２１】
（２）車両用表示装置１は、音声データＤａが記憶されるＮＯＲ型メモリ２１ａと、元画像データＤｂが記憶されるＮＡＮＤ型メモリ２１ｂと、を備える。ＧＤＣ２０は、ＮＯＲ型メモリ２１ａに記憶される音声データＤａに基づきスピーカ４０から音声を発し、ＮＡＮＤ型メモリ２１ｂに記憶される元画像データＤｂに基づき画像を生成したうえでディスプレイ３０に表示する。
ＮＯＲ型メモリ２１ａは、ＮＡＮＤ型メモリ２１ｂに比べて、読み取り速度が速い。このため、ＧＤＣ２０は、ＮＯＲ型メモリ２１ａに記憶される音声データＤａを迅速に読み出すことができる。よって、画像の切り替わりに対して音声が遅延することが抑制される。
【００２２】
（３）ＧＤＣ２０は、外部から娯楽情報Ｉ２を取得し、取得した娯楽情報Ｉ２に基づき、スピーカ４０を介して娯楽音声を発するとともに、画像として娯楽画像Ａｍを生成したうえでディスプレイ３０に表示する。
この構成によれば、娯楽情報Ｉ２がＧＤＣ２０に直接に入力されるため、ＧＤＣ２０は、迅速に、娯楽画像Ａｍを表示しつつ娯楽音声を発することができる。
【００２３】
（４）ＧＤＣ２０は、アイコンＩｃが点滅する画像を生成したうえでディスプレイ３０に表示する際、スピーカ４０を介して、アイコンＩｃが点灯している期間に音声を発し、アイコンＩｃが消灯している期間に音声を停止する。
この構成によれば、音声はアイコンＩｃの点滅周期に合わせて発音と停止を繰り返す。このため、音声とアイコンＩｃの点滅周期のずれを抑制することができ、運転者に与える違和感を低減することができる。
【００２４】
なお、本発明は以上の実施形態及び図面によって限定されるものではない。本発明の要旨を変更しない範囲で、適宜、変更（構成要素の削除も含む）を加えることが可能である。以下に、変形の一例を説明する。
【００２５】
（変形例）
上記実施形態においては、ＮＯＲ型メモリ２１ａには音声データＤａが記憶され、ＮＡＮＤ型メモリ２１ｂには元画像データＤｂが記憶されている。しかしながら、ＮＯＲ型メモリ２１ａ及びＮＡＮＤ型メモリ２１ｂの何れか一方には音声データＤａと元画像データＤｂの両方が記憶され、ＮＯＲ型メモリ２１ａ及びＮＡＮＤ型メモリ２１ｂの何れか他方が省略されてもよい。
【００２６】
上記実施形態において、ナビ画像Ｎｖと娯楽画像Ａｍの少なくとも何れかが省略されてもよい。
上記実施形態においては、娯楽情報Ｉ２は、ＧＤＣ２０に入力されていたが、これに限らず、メインマイコン１０に入力されてもよい。この場合、メインマイコン１０は、取得した娯楽情報Ｉ２をＧＤＣ２０に出力する。
【符号の説明】
【００２７】
１  車両用表示装置
１０  メインマイコン
２０  ＧＤＣ
２１  記憶部
２１ａ  ＮＯＲ型メモリ
２１ｂ  ＮＡＮＤ型メモリ
３０  ディスプレイ
３１  画面
４０  スピーカ
Ｉ１  車両情報
Ｉ２  娯楽情報
Ｄａ  音声データ
Ｄｂ  元画像データ
Ｉｃ  アイコン
Ｉｃ１  ターンライトアイコン
Ｉｃ２  シートベルトリマインダアイコン
Ｉｃ３  車線逸脱警告アイコン
Ａｍ  娯楽画像
Ｓｐ  車速画像
Ｎｖ  ナビ画像
【図１】
2020122129.tif 000003
【図２】
2020122129.tif 000004
【国際調査報告】
2020122129.tif 000005
2020122129.tif 000006
2020122129.tif 000007
2020122129.tif 000008
2020122129.tif 000009
2020122129.tif 000010